(57)【要約】  表示装置は、操作面を有するタッチパネルと、タッチパネルの操作面の反対側に設けられた静電スピーカと、静電スピーカに対しタッチパネルと反対側に設けられた表示パネルを含む。静電スピーカは、第１導電層と、第１導電層に対向する第２導電層と、第１導電層と第２導電層に介在する誘電体とを有する。
2014196157.tif 000002
【特許請求の範囲】
【請求項１】
操作面を有するタッチパネルと、
第１導電層と、前記第１導電層に対向する第２導電層と、前記第１導電層と前記第２導電層に介在する誘電体とを有し、前記タッチパネルに対し、前記操作面の反対側に設けられた静電スピーカと、
前記静電スピーカに対し、前記タッチパネルと反対側に設けられた表示パネルと、を備えた、
表示装置。
【請求項２】
前記静電スピーカと前記表示パネルとの間に配置された振動基板をさらに備えた、
請求項１記載の表示装置。
【請求項３】
前記タッチパネルは静電式タッチパネルである、
請求項１記載の表示装置。
【請求項４】
前記第１導電層と前記第２導電層とは互いに接触可能で、抵抗膜方式タッチパネルを構成している、
請求項３記載の表示装置。
【請求項５】
請求項１記載の表示装置と、
前記第１導電層および前記第２導電層に接続された音声信号発生装置と、
前記表示パネルに接続された映像信号発生装置と、をさらに備えた、
表示ユニット。
【請求項６】
請求項５記載の表示ユニットと、
前記音声信号発生装置および前記映像信号発生装置に接続された通信機器と、を備えた、
会議システム。
【発明の詳細な説明】
【技術分野】
【０００１】
本技術分野は、各種電子機器に使用される表示装置と、それを含む表示ユニット、および表示ユニットを用いた会議システムに関する。
【背景技術】
【０００２】
表示装置は大型化に伴い、音声を発する機能や操作者に感覚を与える機能を備えたうえで、例えばテレビ会議システム端末として用いられている。【０００３】
この表示装置は振動が可能なタッチパネルを有し、このタッチパネルが振動することによって音声を発する、あるいは操作時に操作者の指先に感覚を与えている（例えば、特許文献１参照）。
【先行技術文献】
【特許文献】
【０００４】
【特許文献１】特開２０１３−８１１８号公報
【発明の概要】
【０００５】
本開示における表示装置は、操作面を有するタッチパネルと、タッチパネルの操作面の反対側に設けられた静電スピーカと、静電スピーカに対し、タッチパネルと反対側に設けられた表示パネルを含む。静電スピーカは、第１導電層と、第１導電層に対向する第２導電層と、第１導電層と第２導電層に介在する誘電体とを有する。
【０００６】
この構成により、表示装置はタッチパネルから音声を発することができ、映像に対する音声の臨場感を出すことができる。
【図面の簡単な説明】
【０００７】
【図１】図１は実施の形態における表示ユニットを用いた会議システムの概念図である。
【図２】図２は図１に示す表示ユニットを示す概念図である。
【図３】図３は図２に示す表示装置の構成と、それに用いられた表示装置の断面を示す図である。
【図４】図４は図３に示す表示装置の分解斜視図である。
【図５】図５は実施の形態における他の表示装置の分解斜視図である。
【図６】図６は図５に示す表示装置の断面を示す構成図である。
【発明を実施するための形態】
【０００８】
本実施の形態の説明に先立ち、従来の入力装置における課題を説明する。この種の入力装置は、圧電素子を含む振動ユニットと、この振動ユニットが固定されることで振動が可能なタッチパネルとを有する。このタッチパネルが振動することによって音声を発する、あるいは操作者の指先に感覚を与える。この入力装置では、振動ユニットの出力が小さいため、タッチパネルのごく限られた部分しか振動させることできなくなり、この結果として映像に対する音声の臨場感が乏しくなるおそれがある。
【０００９】
以下、実施の形態について図面を参照しながら説明する。なお、各図面は、構成を判り易くするために、部分的に寸法を拡大して示している。
【００１０】
図１は表示装置１Ａを含む表示ユニット１を用いた会議システム２の概念図である。会議システム２は、表示装置１Ａを用いた表示ユニット１と、通信機器３と、カメラ４と、マイクロフォン５とを含む。
【００１１】
遠隔地に位置するルームＲ１とルームＲ２には、それぞれの会議システム２が設置されている。通信機器３には、カメラ４とマイクロフォン５とが接続されていて、一方のルームの音声と映像とが他方のルームへと送信される。また、通信機器３には、表示ユニット１も接続されていて、音声信号の受信や映像信号の送受信ができる。ルームＲ１とルームＲ２には、それぞれに会議参加者が各２人出席しており、ルームＲ１の参加者の映像および音声がルームＲ２における表示ユニット１によって投影、再生されている。また、ルームＲ２の参加者の映像および音声がルームＲ１における表示ユニット１によって投影、再生されている。
【００１２】
図２は表示ユニット１における表示状態の概念図である。表示ユニット１は第１セグメント６、第２セグメント７、第３セグメント８と、を有している。第１セグメント６および第３セグメント８は画像を表示するとともに、第２セグメント７はタッチパネルとして操作が可能となっている。第１セグメント６および第３セグメント８もまた、表面にタッチパネルを備えており操作が可能となっている。以下、上記のような設定を前提として、表示装置１Ａ、表示ユニット１と会議システム２の構成および動作を説明する。
【００１３】
図３は図２に示す表示装置の構成と、それに用いられた表示装置の断面を示す図である。
【００１４】
表示装置１Ａは、操作面を有するタッチパネル２２と、タッチパネル２２の操作面の反対側に設けられた静電スピーカ４１と、静電スピーカ４１に対し、タッチパネル２２と反対側に設けられた表示パネル５１とを含む。静電スピーカ４１は第１導電層３５と、第１導電層３５に対向する第２導電層２４と、第１導電層３５と第２導電層２４に介在する誘電体４２とを有する。
【００１５】
以上の構成により、タッチパネル２２は静電スピーカ４１に入力された音声信号に応じて振動することができる。これにより表示装置１Ａは、タッチパネル２２に映し出される表示パネル５１の画像や映像に対する音声の臨場感を出すことができる。
【００１６】
表示装置１Ａは、さらにカバーレンズ２１と、静電スピーカ４１を載置する振動基板２５と、表示パネル５１と、タッチパネル制御端子１０１Ａと、音声信号入力端子４３と、映像信号入力端子５２とを含む。タッチパネル２２はタッチパネル制御端子１０１Ａを介してタッチパネル制御装置１０１に接続されている。静電スピーカ４１は音声信号入力端子４３を介して音声信号発生装置４４に接続されている。表示パネル５１は映像信号入力端子５２を介して映像信号発生装置５３に接続されている。
【００１７】
そして、表示ユニット１は、表示装置１Ａと、表示装置１Ａの静電スピーカ４１に接続された音声信号発生装置４４と、表示パネル５１に接続された映像信号発生装置５３とを含む。
【００１８】
また、音声信号発生装置４４と映像信号発生装置５３とは通信機器３に接続されている。ここでは、音声信号発生装置４４と映像信号発生装置５３とは表示ユニット１に含まれているが、音声信号発生装置４４と映像信号発生装置５３とは通信機器３に含まれてもよい。あるいは、音声信号発生装置４４と映像信号発生装置５３の何れか一方が表示ユニット１に含まれ、他方が通信機器３に含まれてもよい。
【００１９】
また、タッチパネル制御装置１０１はタッチパネル制御端子１０１Ａとともに表示装置１Ａに含まれてもよい。あるいは、タッチパネル制御装置１０１はタッチパネル制御端子１０１Ａに接続されて表示ユニット１の内部に設けられてもよい。またあるいは、タッチパネル制御装置１０１は表示ユニット１の外部に設けられてもよい。
【００２０】
カバーレンズ２１は、略方形で例えば樹脂材料のシートまたはフィルムと、その上面に設けられたハードコート層とによって構成されている（図示せず）。また、樹脂材料のシートまたはフィルムに代えてガラスが用いられても良い。
【００２１】
タッチパネル２２は、図における上側である操作面側から順に、複数の第１電極３１が配置された第１基板３２と、複数の第２電極３３が配置された第２基板３４とが積層されることによって形成されている。カバーレンズ２１とタッチパネル２２とは粘着剤等で固定されている。
【００２２】
第１電極３１は、図４中の第１の方向Ｄ１に線状あるいは帯状に延伸して設けられていて、かつ、所定の等間隔ごとに平行に並んで配置されている。なお、第１電極３１には、酸化インジウム錫や酸化錫、或いはこれらを主な組成としている材料が適している。
【００２３】
第１基板３２は略方形あるいは略矩形であり、例えばポリエチレンテレフタレート、ポリエーテルサルホン、ポリカーボネート等の透光性の絶縁樹脂フィルム等によって構成されている。或いは、第１基板３２はガラスを主とした材料によって構成されてもよい。
【００２４】
第２電極３３は、図４中の第２の方向Ｄ２に線状あるいは帯状に延伸して設けられていて、かつ、所定の等間隔ごとに平行に並んで配置されている。なお、第２電極３３もまた、酸化インジウム錫や酸化錫、或いはこれらを主な組成としている材料が適している。なお、第１の方向Ｄ１と第２の方向Ｄ２とは所定の角度で交差している。そしてこの角度は直角であることが望ましい。
【００２５】
第２基板３４は略方形あるいは略矩形で、概ね第１基板３２と同形状であり、例えば透光性の絶縁樹脂フィルム等によって構成される。或いは、第２基板３４はガラスを主とした材料によって構成されてもよい。なお、カバーレンズ２１とタッチパネル２２と同様に、第1基板３２と第２基板３４とは粘着剤等で固定されている。
【００２６】
静電スピーカ４１は、第１導電層３５と第２導電層２４と、これらの間に配置されたスペーサ２３と誘電体４２とによって構成されている。
【００２７】
第１導電層３５、第２導電層２４は透光性かつ導電性を有した材料によって構成され、概ね同形状として略方形あるいは略矩形として設けられている。第１導電層３５、第２導電層２４の材料は酸化インジウム錫や酸化錫等、或いはこれらを主な組成とすることが望ましい。また、アクリル等の透光性樹脂内に銀等の金属が分散される、或いはカーボン等の細線が分散されることによって、第１導電層３５、第２導電層２４が形成されてもよい。また或いは、ポリチオフェンやポリアニリン等の透光性の導電性樹脂によって第１導電層３５、第２導電層２４が形成されてもよい。
【００２８】
スペーサ２３は中央に角形孔２３Ａを設けられた額縁状であり、中央に角形孔２３Ａが設けられている。スペーサ２３は、第１導電層３５と第２導電層２４とに挟まれた状態で配置されている。
【００２９】
誘電体４２は角形孔２３Ａにおいて、第１導電層３５と第２導電層２４とに介在する状態で配置されている。そして誘電体４２は、ポリエチレンテレフタラートやポリエステル等、或いはこれらを主な組成とし、可視光線を透過する材料である。また或いは、角形孔２３Ａの中の空気が誘電体４２として用いられてもよい。
【００３０】
ここでは、第１導電層３５と第２導電層２４とは静電スピーカ４１を構成する要素として説明しているが、第１導電層３５は第２基板３４の図中下側に、第２導電層２４は振動基板２５の図中上面に配置してもよい。そしてこの場合、第１導電層３５および第２導電層２４は、スパッタ法、真空蒸着法等によって、第２基板３４および振動基板２５にそれぞれ形成することができる。
【００３１】
これにより、振動基板２５は第２導電層２４を支持し、かつ、表示装置１Ａが静電スピーカ４１の振動を効率よく表示装置１Ａの外部へと伝えることができる。振動基板２５は略方形あるいは略矩形で、例えば透光性の絶縁樹脂フィルム等で構成される。或いは、振動基板２５はガラスを主とした材料によって構成されてもよい。
【００３２】
そして、表示パネル５１は図中における振動基板２５の下面側に配置されている。表示パネル５１と振動基板２５とは、空気や粘着剤等の誘電体を介して配置されている。
【００３３】
なお、第２導電層２４は振動基板２５を設けず、表示パネル５１の図中上面に直接配置してもよい。そしてこの場合、第２導電層２４は、スパッタ法、真空蒸着法等によって表示パネル５１に形成してもよい。あるいは、表示パネル５１と静電スピーカ４１とを個別に構成し、静電スピーカ４１を表示パネル５１の図中上面に配置してもよい。これにより、振動基板２５に代わって表示パネル５１が静電スピーカ４１の振動を効率よく表示装置１Ａの外部へと伝えることができる。また、表示パネル５１と静電スピーカ４１との間に振動基板２５がないことにより、表示パネル５１はタッチパネル２２の操作面側へさらに明瞭に画像を投影できる。
【００３４】
また、ケーブル２６は、フレキシブルプリント配線板等によって構成され、ケーブル２６内には複数の配線が設けられている。図３に示すように、ケーブル２６内には第１電極３１に接続される配線３１Ａと、第２電極３３に接続される配線３３Ａと、第１導電層３５に接続される配線３５Ａと、第２導電層２４に接続される配線２４Ａと、表示パネル５１に接続される配線５１Ａ、５１Ｂがケーブル２６内に配置されている。
【００３５】
ケーブル２６は一体でもよく、複数のパーツに分かれていてもよい。また、ケーブル２６は表示装置１Ａに含まれていなくてもよい。
【００３６】
そして、第１電極３１に接続される配線３１Ａと第２電極３３に接続される配線３３Ａはタッチパネル制御端子１０１Ａを介してタッチパネル制御装置１０１に接続される。また、第１導電層３５と第２導電層２４に接続される配線３５Ａ、２４Ａは音声信号入力端子４３を介して音声信号発生装置４４に接続される。さらに、表示パネル５１に接続される配線５１Ａ、５１Ｂは映像信号入力端子５２を介して映像信号発生装置５３に接続される。
【００３７】
次に、表示ユニット１の動作について説明する。例えば第２電極３３が送信電極で第１電極３１が受信電極であるとする。タッチパネル制御装置１０１は複数の第２電極３３のうちの１つの第２電極３３へ検出信号を送信し、この検出信号を複数の第１電極３１のうちの１つの第１電極３１から被検出信号として受信する。つまり、第２電極３３と第１電極３１との間に存在する静電容量を介して、検出信号は第２電極３３から第１電極３１へ伝送されて被検出信号となる。
【００３８】
この検出信号は第２電極３３のそれぞれに対してＤ１の何れかの方向で例えば上端から下端へと一本ずつ切り替えられながらタッチパネル制御装置１０１から送信される。そして、タッチパネル制御装置１０１は第２電極３３へ検出信号を送信していると同時に被検出信号を受信している。この被検出信号は、第１電極３１のそれぞれがＤ２の何れかの方向で例えば左端から右端へと一本ずつ切り替えられながらタッチパネル制御装置１０１で受信される。
【００３９】
ここで、第２電極３３のそれぞれと、第１電極３１のそれぞれとの間の静電容量値は予め決定されている。この状態で、指先などの被検出対象がタッチパネル２２に接近することによって、その静電容量値に初期状態からの大きな変化が生じる。これに伴い検出信号に対する被検出信号もまた、指先などの被検出対象がタッチパネル２２に接近することによって初期状態から変化する。この変化がいつ生じたのかが特定されることで、タッチパネル２２における被検出対象の位置が特定される。つまり、タッチパネル制御装置１０１は、どの第２電極３３に検出信号が送信され、どの第１電極３１からの被検出信号が受信されたときに変化が生じたのかを検知する。
【００４０】
これは表現を換えれば、タッチパネル制御装置１０１は、被検出信号が初期状態から変化しているポイントについて、検出信号の送信によってＤ１方向の位置を、被検出信号の受信によってＤ２方向の位置を検出する。以上によってタッチパネル制御装置１０１は被検出対象の位置情報を得る。
【００４１】
そして検出信号の個々の第２電極３３に対する切り替えの速度、および、被検出信号の個々の第１電極３１に対する切り替えの速度によって、タッチパネル２２における被検出対象の検出速度が決定される。
【００４２】
ここで特に、音声信号発生装置４４から配線２４Ａ、３５Ａを介して入力された音声入力信号により、第１導電層３５と第２導電層２４と誘電体４２とによって構成される静電スピーカ４１が振動して音声を発する。あるいは静電スピーカ４１が振動することによってタッチパネル２２の操作面側にあるカバーレンズ２１が操作者の指先に操作感を与える。
【００４３】
音声を発する場合の振動周波数は２０Ｈｚ以上、２００００Ｈｚ以下で、操作感を与える場合の振動周波数は１０Ｈｚ以上、１０００Ｈｚ以下である。当然ながら、音声信号と操作感信号とが同時に音声信号発生装置４４から供給されても構わない。
【００４４】
そして、特に静電スピーカ４１が振動して音声を発する場合、この振動は先にも述べたようにカバーレンズ２１に伝わり、カバーレンズ２１が音声を発する。また、静電スピーカ４１は大きな面積で振動することが可能であるので、カバーレンズ２１全体を振動させることが容易である。
【００４５】
以上のように表示装置１Ａおよび表示ユニット１によって、操作者や視聴者は偏った一部からではなくタッチパネル２２全体から音声を聴くことができる。よって、表示装置１Ａおよび表示ユニット１は映像や画像の音声に対する臨場感を強く出すことができる。
【００４６】
また、タッチパネル２２と静電スピーカ４１とは、薄く形成された導体と絶縁層とを積層する構造で類似している。このため、タッチパネル２２と静電スピーカ４１とは密着性を高くして積層することができる。この結果、静電スピーカ４１で発する音声が効率よくタッチパネル２２やカバーレンズ２１へ伝達される。
【００４７】
以上のように構成された表示装置１Ａおよび表示ユニット１においては、表示パネル５１は特定の表示方式に限るものではない。例えば、液晶パネル、有機ＥＬ（Ｅｌｅｃｔｒｏｌｕｍｉｎｅｓｃｅｎｃｅ）パネル、プラズマディスプレイパネル等を表示パネル５１として表示装置１Ａに用いてもよい。
【００４８】
そして表示装置１Ａおよび表示ユニット１は、特に大型ディスプレイにおいて音声を発するとともに、表示されたイメージ表示等を選択するために用いられるとよい。以下の説明では、図１に示すように例えば、遠隔地を結んだ会議システム２に表示ユニット１が用いられ、さらに表示ユニット１に用いられる表示装置１Ａに遠隔地における出席者と会議対象とが映しだされている。また、会議の対象は映されているだけでなく、タッチパネル２２の機能を用いて会議の対象が操作対象として表示されている。
【００４９】
図１、図２に示す第１セグメント６に表示された遠隔地の出席者が発言すると、表示装置１Ａの全面から音声が発せられる。そのため音声と表示内容との整合感が強くなり、遠隔地における出席者に関する映像に対する音声の臨場感が向上する。
【００５０】
また、ここでは例として会議の対象を明日の気象予報の発表内容としているが、双方の遠隔地の出席者は第２セグメント７を任意に指などで触れて操作することができる。たとえば、一方の出席者が第２セグメント７における表示内容の配置や対象をタッチ操作すると、他方の表示装置１Ａでは第２セグメント７における表示内容の配置や対象もまた一方における操作に応じて表示内容が変更される。当然ながら、一方あるいは他方の出席者が上記のタッチ操作中に発言した場合、その音声は他方あるいは一方の表示装置１Ａが音声を再生する。
【００５１】
つまり、表示装置１Ａは表示に関する機能とタッチ入力に関する機能との双方を有しているが、その双方の機能は同時に動作することができるので、上記のような会議システムは利便性が高い。
【００５２】
またここでは、表示装置１Ａの表示面は第１セグメント６、第２セグメント７、第３セグメント８の三つに区分されているが、それぞれのセグメントが重複して表示されても構わない。そして、表示が重複していても、先に述べたように表示に関する機能とタッチ入力に関する機能とは独立して動作するので、会議対象に関する表示内容の配置や対象をタッチ操作することができる。
【００５３】
また、セグメント数や会議対象に関する表示位置などに関して、何ら制約は設けられない。
【００５４】
さらに、静電スピーカ４１は単一のスピーカとして示されているが、複数のセグメントによって構成される静電式のスピーカであってもよい。これにより、静電スピーカ４１はタッチパネル２２のセグメント数に概ね一致させて動作できる。つまり、意図的に一部に偏らせた位置で、音声を再生させることができる。これにより、表示装置１Ａの表示面は振動の大きな部分と小さな部分とに分割することもできる。この結果、タッチ操作の際に操作者の指がタッチパネル２２から強い振動を受けることによって操作者が受ける違和感を小さくすることができる。
【００５５】
またこの一方で、タッチ操作の際に操作者の指がタッチパネル２２から強い振動を受けうけることによって、操作者がクリック感等の触覚を受ける構成としてもよい。この場合、音声信号発生装置４４は振動信号を発するように動作すればよい。そして、操作者が受けるタッチパネル２２から伝えられた振動はヒトの可聴周波数よりも低い周波数であるとよい。つまり、表示装置１Ａにおける操作者からの指示に対する反応は、振動として大きくさせたりあるいは小さくさせたりすることで変化させることができる。
【００５６】
以上のように、表示装置１Ａおよび表示ユニット１を用いた会議システム２では、遠隔地における出席者に関する映像に対する音声の臨場感が向上する。さらに、表示装置１Ａにおける表示面全面にわたって遠隔地間でのリアルタイムの機能共有が可能であり、会議システムとしての利便性が高くなる。
【００５７】
さらに表示装置１Ａについては、図５、図６で示すように、第１導電層３５における短辺部に金属電極１３１、１３２が、第２導電層２４における長辺部に金属電極１３３、１３４が、それぞれ第１導電層３５と第２導電層２４とに挟まれて配置されてもよい。
【００５８】
これにより、操作面側に配置されたタッチパネル２２に加えて、第１導電層３５と第２導電層２４とが抵抗膜方式の第２のタッチパネルとして動作することができる。
【００５９】
このとき、第１導電層３５と第２導電層２４とは接触する必要がある。したがって、誘電体４２は空気で構成されている。
【００６０】
ここで、金属電極１３１、１３２は第１導電層３５における短辺部に配置されている。そして、金属電極１３１、１３２はケーブル２６内の配線３５Ａに接続されている。また、金属電極１３３、１３４は第２導電層２４における長辺部に配置されている。そして、金属電極１３３、１３４はケーブル２６内の配線２４Ａに接続されている。ここで、金属電極１３１〜１３４は銅或いは銀等の金属で構成するのがよい。金属電極１３１〜１３４を通過する信号の減衰を抑制するためには導電率は高い方が好ましい。
【００６１】
また、第２導電層２４の上面には、所定の間隔で半球状のドットスペーサ１２７がマトリクス状に配置されるとよい。これにより、操作者によって操作面が押圧されていない場合に、第１導電層３５と第２導電層２４が接触することを回避できる。またあるいは、ドットスペーサ１２７が誘電材によって形成されてもよい。
【００６２】
このように、操作面側のタッチパネル２２に加えて、さらに第１導電層３５と第２導電層２４が抵抗膜方式のタッチパネルの電極として用いられる。これにより、静電方式のタッチパネルで認識困難なタッチ操作が容易に認識される。例えば手袋等でカバーした指による接触や棒状の操作指示体によって操作者がタッチ操作した場合であっても、表示装置１Ａは正しく操作に対する認識ができる。つまり、指先などによる繊細な操作と棒状の操作指示体などによる大きな力での操作との双方に表示装置１Ａは対応することができる。
【００６３】
また、第１導電層３５と第２導電層２４とは一部において電気的に接触が必要となるため、特に操作面側の第１導電層３５は十分に変形することが要求される。
【００６４】
また、第１導電層３５と第２導電層２４とは、抵抗膜方式のタッチパネルとして動作している間はスピーカとして動作しない。したがって、操作者が何れかの機能を選択するための選択機能部（図示せず）が設けられることが好ましい。あるいは、操作者からの操作や外部からの信号に基づいて自動的に制御機能部が何れかの機能を選択する選択機能部（図示せず）が設けられることが好ましい。
【００６５】
さらに、第１導電層３５と第２導電層２４とが静電スピーカ４１の振動部として動作するとともに、抵抗膜方式の第２のタッチパネルとして動作することによって、タッチパネル２２が設けられない状態の表示装置１Ａとしてもよい。これにより、超大型の表示装置１Ａが野外などで使用され、指先などによる繊細な操作が不要である場合に、表示装置１Ａの利便性が高くなる。
【００６６】
以上では、タッチパネル２２と静電スピーカ４１と表示パネル５１とを含む表示装置１Ａについて説明した。ここで、タッチパネル２２と静電スピーカ４１とは、入力装置１Ｂを構成している。表示が不要な場合は、このように表示パネル５１を除いてタッチパネル２２と静電スピーカ４１とは入力装置１Ｂとして用いても良い。この場合も、操作者がタッチパネル２２を押圧することに応じて、タッチパネル２２が音声を発することや、あるいはタッチパネル２２を振動させることができる。
【産業上の利用可能性】
【００６７】
本開示による表示装置は、一部の偏った場所からでなくタッチパネル全体から音声を発することができ、映像に対する音声の臨場感を出すことができる。そのため、各種電子機器に使用される表示装置として有効である。
【符号の説明】
【００６８】
１  表示ユニット
１Ａ  表示装置
２  会議システム
３  通信機器
４  カメラ
５  マイクロフォン
６  第１セグメント
７  第２セグメント
８  第３セグメント
２１  カバーレンズ
２２  タッチパネル
２３  スペーサ
２３Ａ  角形孔
２４  第２導電層
２４Ａ，３１Ａ，３３Ａ，３５Ａ，５１Ａ，５１Ｂ  配線
２５  振動基板
２６  ケーブル
３１  第１電極
３２  第１基板
３３  第２電極
３４  第２基板
３５  第１導電層
４１  静電スピーカ
４２  誘電体
４３  音声信号入力端子
４４  音声信号発生装置
５１  表示パネル
５２  映像信号入力端子
５３  映像信号発生装置
１０１  タッチパネル制御装置
１０１Ａ  タッチパネル制御端子
１２７  ドットスペーサ
１３１，１３２，１３３，１３４  金属電極
【図１】
2014196157.tif 000003
【図２】
2014196157.tif 000004
【図３】
2014196157.tif 000005
【図４】
2014196157.tif 000006
【図５】
2014196157.tif 000007
【図６】
2014196157.tif 000008
【手続補正書】
【提出日】平成26年9月29日(2014.9.29)
【手続補正１】
【補正対象書類名】特許請求の範囲
【補正対象項目名】全文
【補正方法】変更
【補正の内容】
【特許請求の範囲】
【請求項１】
操作面を有するタッチパネルと、
第１導電層と、前記第１導電層に対向する第２導電層と、前記第１導電層と前記第２導電層に介在する誘電体とを有し、前記タッチパネルに対し、前記操作面の反対側に設けられた静電スピーカと、
前記静電スピーカに対し、前記タッチパネルと反対側に設けられた表示パネルと、を備え、
前記タッチパネルは静電式タッチパネルであり、
前記第１導電層と前記第２導電層とは互いに接触可能で、抵抗膜方式タッチパネルを構成している、
表示装置。
【請求項２】
前記静電スピーカと前記表示パネルとの間に配置された振動基板をさらに備えた、請求項１記載の表示装置。
【請求項３】
（削除）
【請求項４】
（削除）
【請求項５】
請求項１記載の表示装置と、
前記第１導電層および前記第２導電層に接続された音声信号発生装置と、
前記表示パネルに接続された映像信号発生装置と、をさらに備えた、
表示ユニット。
【請求項６】
請求項５記載の表示ユニットと、
前記音声信号発生装置および前記映像信号発生装置に接続された通信機器と、を備えた、
会議システム。
【手続補正書】
【提出日】平成27年11月27日(2015.11.27)
【手続補正１】
【補正対象書類名】明細書
【補正対象項目名】０００７
【補正方法】変更
【補正の内容】
【０００７】
【図１】図１は実施の形態における表示ユニットを用いた会議システムの概念図である。
【図２】図２は図１に示す表示ユニットを示す概念図である。
【図３】図３は図２に示す表示ユニットの構成と、それに用いられた表示装置の断面を示す図である。
【図４】図４は図３に示す表示装置の分解斜視図である。
【図５】図５は実施の形態における他の表示装置の分解斜視図である。
【図６】図６は図５に示す表示装置の断面を示す構成図である。
【手続補正２】
【補正対象書類名】明細書
【補正対象項目名】００１３
【補正方法】変更
【補正の内容】
【００１３】
図３は図２に示す表示ユニットの構成と、それに用いられた表示装置の断面を示す図である。
【手続補正３】
【補正対象書類名】明細書
【補正対象項目名】００１５
【補正方法】変更
【補正の内容】
【００１５】
以上の構成により、タッチパネル２２は静電スピーカ４１に入力された音声信号に応じて振動することができる。これにより表示装置１Ａは、表示パネル５１に映し出され、タッチパネル２２を介して見られる画像や映像に対する音声の臨場感を出すことができる。
【手続補正４】
【補正対象書類名】明細書
【補正対象項目名】００３８
【補正方法】変更
【補正の内容】
【００３８】
この検出信号は第２電極３３のそれぞれに対して第１の方向Ｄ１で例えば上端から下端へと一本ずつ切り替えられながらタッチパネル制御装置１０１から送信される。そして、タッチパネル制御装置１０１は第２電極３３へ検出信号を送信していると同時に被検出信号を受信している。この被検出信号は、第１電極３１のそれぞれが第２の方向Ｄ２で例えば左端から右端へと一本ずつ切り替えられながらタッチパネル制御装置１０１で受信される。
【手続補正５】
【補正対象書類名】明細書
【補正対象項目名】００４１
【補正方法】変更
【補正の内容】
【００４１】
そして検出信号を送信する第２電極３３を切り替える速度、および、被検出信号を受信する第１電極３１を切り替える速度によって、タッチパネル２２における被検出対象の検出速度が決定される。
【手続補正６】
【補正対象書類名】明細書
【補正対象項目名】００５４
【補正方法】変更
【補正の内容】
【００５４】
さらに、静電スピーカ４１は単一のスピーカとして示されているが、複数のセグメントによって構成されてもよい。これにより、静電スピーカ４１はタッチパネル２２のセグメント数に概ね対応して動作できる。つまり、意図的に一部に偏らせた位置で、音声を再生させることができる。これにより、表示装置１Ａの表示面は振動の大きな部分と小さな部分とに分割することもできる。この結果、タッチ操作の際に操作者の指がタッチパネル２２から強い振動を受けることが回避される。そのため、操作者が受ける違和感を小さくすることができる。
【手続補正７】
【補正対象書類名】明細書
【補正対象項目名】００５５
【補正方法】変更
【補正の内容】
【００５５】
またこの一方で、タッチ操作の際に操作者の指がタッチパネル２２から強い振動を受けうけることによって、操作者がクリック感等の触覚を受けるように表示装置１Ａを構成してもよい。この場合、音声信号発生装置４４は振動信号を発するように動作すればよい。そして、操作者が受けるタッチパネル２２から伝えられた振動はヒトの可聴周波数よりも低い周波数であるとよい。つまり、表示装置１Ａにおける操作者からの指示に対する反応は、振動として大きくさせたりあるいは小さくさせたりすることで変化させることができる。
【手続補正８】
【補正対象書類名】明細書
【補正対象項目名】００５８
【補正方法】変更
【補正の内容】
【００５８】
これにより、操作面側に配置された第１タッチパネルであるタッチパネル２２に加えて、第１導電層３５と第２導電層２４とが抵抗膜方式の第２のタッチパネルとして動作することができる。
【手続補正９】
【補正対象書類名】明細書
【補正対象項目名】００６１
【補正方法】変更
【補正の内容】
【００６１】
また、第２導電層２４の上面には、所定の間隔で半球状のドットスペーサ１２７がマトリクス状に配置されるとよい。これにより、操作者によって操作面が押圧されていない場合に、第１導電層３５と第２導電層２４が接触することを回避できる。またあるいは、ドットスペーサ１２７が誘電体によって形成されてもよい。
【手続補正１０】
【補正対象書類名】明細書
【補正対象項目名】００６８
【補正方法】変更
【補正の内容】
【００６８】
１    表示ユニット
１Ａ    表示装置
１Ｂ    入力装置
２    会議システム
３    通信機器
４    カメラ
５    マイクロフォン
６    第１セグメント
７    第２セグメント
８    第３セグメント
２１    カバーレンズ
２２    タッチパネル
２３    スペーサ
２３Ａ    角形孔
２４    第２導電層
２４Ａ，３１Ａ，３３Ａ，３５Ａ，５１Ａ，５１Ｂ    配線
２５    振動基板
２６    ケーブル
３１    第１電極
３２    第１基板
３３    第２電極
３４    第２基板
３５    第１導電層
４１    静電スピーカ
４２    誘電体
４３    音声信号入力端子
４４    音声信号発生装置
５１    表示パネル
５２    映像信号入力端子
５３    映像信号発生装置
１０１    タッチパネル制御装置
１０１Ａ    タッチパネル制御端子
１２７    ドットスペーサ
１３１，１３２，１３３，１３４    金属電極
【手続補正１１】
【補正対象書類名】図面
【補正対象項目名】図３
【補正方法】変更
【補正の内容】
【図３】
2014196157.tif 000009
【手続補正１２】
【補正対象書類名】図面
【補正対象項目名】図６
【補正方法】変更
【補正の内容】
【図６】
2014196157.tif 000010
【国際調査報告】
2014196157.tif 000011
2014196157.tif 000012